(57)【特許請求の範囲】
【請求項１】
少なくとも１つのネットワーク制御モードでの動作において、移動局が現在の割当てられているセルが、パケットブロードキャスト制御チャネルを有しているかどうかを移動局において判定することと、
前記セルが前記パケットブロードキャスト制御チャネルを有していれば、前記パケットブロードキャスト制御チャネルから受信したリストの中で特定された近傍セルに関するレポートを行うためのパケット測定レポートメッセージをネットワークへ送信することと、
前記セルが前記パケットブロードキャスト制御チャネルを有していなければ、ブロードキャスト制御チャネルから受信した近傍セルリストの中で特定された近傍セルに関するレポートを行うためのパケット測定レポートメッセージを前記ネットワークへ送信することと、
を含む方法であって、上記リストのタイプが、前記ブロードキャスト制御チャネルに関連した前記パケット測定レポートメッセージが暗黙裡に指定したものであるか、前記パケットブロードキャスト制御チャネルに関連した前記パケット測定レポートメッセージが明示的に指定したものであるかのいずれか一方であり、ただし前記ブロードキャスト制御チャネルに関連した前記パケット測定レポートメッセージによる前記近傍セルリストのタイプの前記暗黙裏の指定は、該パケット測定レポートメッセージが、該パケット測定レポートメッセージの現在のバージョンよりも古いバージョンのフォーマットで送信されることにより行われる、方法。
【請求項２】
ブロードキャスト制御チャネルから得られるブロードキャスト制御チャネル割り当てＧＰＲＳを黙示するＧＰＲＳリリース１９９７フォーマットで、前記ブロードキャスト制御チャネルに関連した前記パケット測定レポートメッセージを送信する請求項１に記載の方法。
【請求項３】
前記パケット測定レポートメッセージのフィールドにより、前記ブロードキャスト制御チャネルに関連した前記パケット測定レポートメッセージが前記リストを明示的に指定する請求項１または２に記載の方法。
【請求項４】
前記フィールドが、前記パケット測定レポートがブロードキャスト制御チャネル割り当てに基づくものであるか、ブロードキャスト制御チャネルから得られるＧＳＭ近傍セルリストに基づくものであるかを指定するための１ビットフィールドである請求項３に記載の方法。
【請求項５】
前記パケットブロードキャスト制御チャネルが前記セル内に存在していない場合にのみ、前記１ビットフィールドを前記パケット測定レポートメッセージに追加する請求項４に記載の方法。
【請求項６】
前記パケットブロードキャスト制御チャネルが前記セル内に存在していない場合にのみ、１ビットのフィールドを前記パケット測定レポートメッセージに追加する請求項４に記載の方法。
【請求項７】
コンピュータに、請求項１から６のいずれかに記載の方法を実行させるプログラム命令を有するコンピュータ・プログラム。
【請求項８】
処理装置を、
・  セルの測定結果をネットワークへ報告するネットワーク制御モードで動作中の移動局に応答して、前記移動局の現在の割当て先セルがパケットブロードキャスト制御チャネルを有しているかどうかを判定し；
・  前記セルが前記パケットブロードキャスト制御チャネルを有している旨の判定に応じて、前記パケットブロードキャスト制御チャネルから受信したＧＳＭ近傍セルリストの中で特定された近傍セルに関するレポートを行うためのパケット測定レポートメッセージを前記ネットワークへ送信し；
・  前記セルが前記パケットブロードキャスト制御チャネルを有していない旨の判定に応じて、前記移動局がブロードキャスト制御チャネルから前記ＧＳＭ近傍セルリストを取得する前であればブロードキャスト制御チャネル割り当てＧＰＲＳにおいて初めに特定された近傍セルに関するレポートを、前記移動局が前記ブロードキャスト制御チャネルから前記ＧＳＭ近傍セルリストを取得した後であれば該ＧＳＭ近傍セルリストで特定された近傍セルに関するレポートを行うためのパケット測定レポートメッセージを前記ネットワークへ送信し、ただし該パケット測定レポートメッセージを、該パケット測定レポートメッセージの現在のバージョンよりも古いバージョンのフォーマットで送信することにより、該パケット測定レポートメッセージにおいて前記移動局が使用中の近傍セルリストのタイプを暗黙裡に指定する；
ように動作させる、コンピュータ・プログラム。
【請求項９】
ＧＰＲＳリリース９９拡張版（'リリース９９'での追加）を含まないように前記移動局が前記メッセージを送信することによって、前記パケット測定レポートメッセージが前記近傍セルリストのタイプを暗黙裡に指定する請求項８に記載のコンピュータ・プログラム。
【請求項１０】
ＧＰＲＳリリース１９９７フォーマットで前記パケット測定レポートメッセージを送信する請求項８または９に記載のコンピュータ・プログラム。
【請求項１１】
処理装置を、
・  セルの測定結果をネットワークへ報告するネットワーク制御モードで動作中の移動局に応答して、前記移動局の現在の割当て先セルがパケットブロードキャスト制御チャネルを有しているかどうかを判定する手段；
・  前記セルが前記パケットブロードキャスト制御チャネルを有している旨の判定に応答して、前記パケットブロードキャスト制御チャネルから受信したＧＳＭ近傍セルリストの中で特定された近傍セルに関するレポートを行うためのパケット測定レポートメッセージを前記ネットワークへ送信し、前記セルが前記パケットブロードキャスト制御チャネルを有していない旨の判定に応答して、前記パケット測定レポートメッセージ中のフィールドで明示的に指定された近傍セルリストの中で特定された近傍セルに関するレポートを行うためのパケット測定レポートメッセージを前記ネットワークへ送信する手段；
として動作させるためのコンピュータ命令を有するコンピュータ・プログラムであって、
前記フィールドが、前記パケット測定レポートメッセージがブロードキャスト制御チャネル割り当てＧＰＲＳサービスに基づくものであるか、ブロードキャスト制御チャネルから受信したＧＳＭ近傍セルリストに基づくものであるかを指定するための１ビットのフィールドであり、前記パケットブロードキャスト制御チャネルが前記セル内に存在していない場合にのみ、前記１ビットのフィールドを前記パケット測定レポートメッセージに追加する、コンピュータ・プログラム。
【請求項１２】
無線周波数送受信機及びコントローラを備える装置であって、該コントローラが、
・  前記装置の現在の割当て先セルがパケットブロードキャスト制御チャネルを有しているかどうかを判定するために、少なくとも１つのネットワーク制御モードで動作し、前記セルが前記パケットブロードキャスト制御チャネルを有していれば、前記パケットブロードキャスト制御チャネルから受信したＧＳＭ近傍セルリストの中で特定された近傍セルに関するレポートを行うためのパケット測定レポートメッセージをネットワークへ送信すること；
・  前記セルが前記パケットブロードキャスト制御チャネルを有していないという条件に応じて、ブロードキャスト制御チャネルから前記送受信装置を介して前記ＧＳＭ近傍セルリストを受信したかどうかを判定すること；
・  該ＧＳＭ近傍セルリストが受信されていた場合には、前記ブロードキャスト制御チャネルから受信した前記ＧＳＭ近傍セルリストの中で特定された近傍セルに関するレポートを行うと共に使用された近傍セルリストのタイプを明示的又は暗黙裏に示すパケット測定レポートメッセージを前記ネットワークへ送信すること；
・  前記ＧＳＭ近傍セルリストが受信されていなかった場合には、前記ブロードキャスト制御チャネルから受信したブロードキャスト制御チャネル割り当て（ＧＰＲＳ）で特定された近傍セルに関するレポートを行うと共に近傍セルリストのタイプを明示的又は暗黙裏に示すパケット測定レポートメッセージを前記ネットワークへ送信すること、ただし該パケット測定レポートメッセージによる前記近傍セルリストのタイプの前記暗黙裏の指定は、該パケット測定レポートメッセージが、該パケット測定レポートメッセージの現在のバージョンよりも古いバージョンのフォーマットで送信されることにより行われること；
を実行するように構成される、装置。
【請求項１３】
前記ネットワーク制御モードがＮＣ２である請求項１２に記載の装置。
【請求項１４】
前記ネットワーク制御モードがＮＣ１である請求項１２に記載の装置。
【請求項１５】
前記パケット測定レポートメッセージ内のNC_MEAS_LIST_TYPEビットの状態によって前記リストが明示的に信号化される請求項１２に記載の装置。
【請求項１６】
移動局である、請求項１２から１５のいずれかに記載の装置。
【請求項１７】
少なくとも１つのネットワーク制御モードでの動作において、移動局が現在の割当てられているセルがパケットブロードキャスト制御チャネルを有しているかどうかを移動局において判定すること；
前記セルが前記パケットブロードキャスト制御チャネルを有していれば、前記パケットブロードキャスト制御チャネルから受信したリストの中で特定された近傍セルに関するレポートを行うためのパケット測定レポートメッセージをネットワークへ送信すること；
前記セルが前記パケットブロードキャスト制御チャネルを有していなければ、ブロードキャスト制御チャネルから受信したリスト中で特定された近傍セルに関するレポートを行うためのパケット測定レポートメッセージを前記ネットワークへ送信すること、ただし、該パケット測定レポートメッセージを、該パケット測定レポートメッセージの現在のバージョンよりも古いバージョンのフォーマットで送信することによって、前記近傍セルリストのタイプを暗黙裏に指定すること；
を含む、方法。
【請求項１８】
ブロードキャスト制御チャネルから得られるブロードキャスト制御チャネル割り当てを黙示するＧＰＲＳリリース１９９７フォーマットで、前記ブロードキャスト制御チャネルに関連した前記パケット測定レポートメッセージを送信する請求項１７に記載の方法。
【請求項１９】
前記パケットブロードキャスト制御チャネルが前記セル内に存在していない場合にのみ、１ビットのフィールドを前記パケット測定レポートメッセージに追加する請求項１７または１８に記載の方法。
【請求項２０】
コンピュータに、請求項１７から１９のいずれかに記載の方法を実行させるプログラム命令を有する、コンピュータ・プログラム。
【請求項２１】
移動局の現在の割当て先セルがパケットブロードキャスト制御チャネルを有しているかどうかを判定し、前記セルが前記パケットブロードキャスト制御チャネルを有していれば、前記パケットブロードキャスト制御チャネルから受信したＧＳＭ近傍セルリストの中で特定された近傍セルに関するレポートを行うためのパケット測定レポートメッセージをネットワークへ送信すること；
前記セルが前記パケットブロードキャスト制御チャネルを有していない場合には、その間、ブロードキャスト制御チャネルから前記送受信装置を介して前記ＧＳＭ近傍セルリストが受信されたかどうかを判定すること；
該ＧＳＭ近傍セルリストが受信されていた場合には、前記ＢＣＣＨから受信した前記ＧＳＭ近傍セルリストの中で特定された近傍セルに関するレポートを行うためのパケット測定レポートメッセージを前記ネットワークへ送信すること；
前記ブロードキャスト制御チャネルから前記送受信装置を介して前記ＧＳＭ近傍セルリストがまだ完全に受信されていない場合には、前記ブロードキャスト制御チャネルから受信したブロードキャスト制御チャネル割り当て（ＧＰＲＳ）の中で特定された近傍セルに関するレポートを行うためのパケット測定レポートメッセージを前記ネットワークへ送信すること、ただし、該パケット測定レポートメッセージを、該パケット測定レポートメッセージの現在のバージョンよりも古いバージョンのフォーマットで送信することによって、近傍セルリストのタイプを暗黙裏に指定すること；
を含む、方法。
【請求項２２】
処理手段を、
移動局の現在の割当て先セルがパケットブロードキャスト制御チャネルを有しているかどうかを判定し、前記セルが前記パケットブロードキャスト制御チャネルを有している場合には、前記パケットブロードキャスト制御チャネルから受信したＧＳＭ近傍セルリストを使用してパケット測定レポートメッセージを生成し；
前記セルが前記パケットブロードキャスト制御チャネルを有していなければ、前記ＧＳＭ近傍セルリストがブロードキャスト制御チャネルから取得されたかどうかを判定し、前記ＧＳＭ近傍セルリストがブロードキャスト制御チャネルから取得されていた場合には、前記パケット測定レポートメッセージを生成するために前記取得したＧＳＭ近傍セルリストを利用し；
一方、前記ＧＳＭ近傍セルリストが前記ブロードキャスト制御チャネルから取得されていなかった場合には、前記パケット測定レポートメッセージを生成するために前記ブロードキャスト制御チャネルから受信したブロードキャスト制御チャネル割り当て（ＧＰＲＳ）を利用し、さらに、前記ブロードキャスト制御チャネルに関連した前記パケット測定レポートメッセージを、該パケット測定レポートメッセージの現在のバージョンよりも古いバージョンのフォーマットで送信することによって、近傍セルリストのタイプを暗黙裏に指定する；
ように動作させるためのコンピュータ命令を備えたコンピュータ・プログラム。
【請求項２３】
パケットブロードキャスト制御チャネルの存在の有無を判定することと、
前記パケットブロードキャスト制御チャネルが存在している場合、ＧＳＭサービスに関連した近傍セルリストに基づいてパケット測定レポートメッセージを送信すること；
前記パケットブロードキャスト制御チャネルが存在していない場合、前記ＧＳＭサービスに関連した前記近傍セルリストが既に受信されているか否かを判定することと、
前記ＧＳＭサービスに関連した前記近傍セルリストが既に受信されていると判定した場合に、前記ＧＳＭサービスに関連した前記近傍セルリストに基づいて前記パケット測定レポートメッセージを送信すること；
前記ＧＳＭサービスに関連した前記近傍セルリストがまだ受信されていないと判断した場合に、ブロードキャスト制御チャネル割り当てＧＰＲＳサービスに関連した近傍セルリストに基づいて前記パケット測定レポートメッセージを送信すること、ただし、該近傍セルリストのタイプは該パケット測定レポートメッセージにより暗黙裡又は明示的に指定され、該暗黙裏の指定は、前記パケット測定レポートメッセージが、該パケット測定レポートメッセージの現在のバージョンよりも古いバージョンのフォーマットで送信されることにより行われること；
を含む、方法。
【請求項２４】
ある標準の以前のリリースに従う近傍セルリストが、該標準の現在のリリースによって認識される、請求項２３に記載の方法。
【請求項２５】
前記近傍セルリストのタイプは、前記ブロードキャスト制御チャネルに関連した前記パケット測定レポートによって暗黙裡に特定されるか、又は前記パケットブロードキャスト制御チャネルに関連した前記パケット測定レポートメッセージによって明示的に特定される、請求項２３に記載の方法。
【請求項２６】
前記装置の現在の割当て先セルがパケットブロードキャスト制御チャネルを有しているかどうかを判定するために、少なくとも１つのネットワーク制御モードで動作し、前記セルが前記パケットブロードキャスト制御チャネルを有していれば、前記パケットブロードキャスト制御チャネルから受信したＧＳＭ近傍セルリストの中で特定された近傍セルに関するレポートを行うためのパケット測定レポートメッセージをネットワークへ送信し；
前記セルが前記パケットブロードキャスト制御チャネルを有していないという条件に応じて、ブロードキャスト制御チャネルから前記送受信装置を介して前記ＧＳＭ近傍セルリストを受信したかどうかを判定し；
該ＧＳＭ近傍セルリストが受信されていた場合には、前記ブロードキャスト制御チャネルから受信した前記ＧＳＭ近傍セルリストの中で特定された近傍セルに関するレポートを行うためのパケット測定レポートメッセージを前記ネットワークへ送信し；
前記ＧＳＭ近傍セルリストが受信されていなかった場合には、前記ブロードキャスト制御チャネルから受信したブロードキャスト制御チャネル割り当て（ＧＰＲＳ）で特定された近傍セルに関するレポートを行うためのパケット測定レポートメッセージを前記ネットワークへ送信し、ただし近傍セルリストのタイプは、前記ブロードキャスト制御チャネルに関連した前記パケット測定レポートメッセージが暗黙裡に指定したものであるか、前記パケットブロードキャスト制御チャネルに関連した前記パケット測定レポートメッセージが明示的に指定したものであるかのいずれか一方であり、前記パケット測定レポートメッセージによる前記近傍セルリストのタイプの前記暗黙裏の指定は、該パケット測定レポートメッセージが、該パケット測定レポートメッセージの現在のバージョンよりも古いバージョンのフォーマットで送信されることにより行われる；
ように構成されるコントローラを備える、装置。
【請求項２７】
前記コントローラがメモリに対してコンピュータ命令の読み出しや保存を行うように構成されている、請求項２６の装置。
【請求項２８】
前記コンピュータ命令は、前記コントローラで実行されると、前記セルがパケットブロードキャスト制御チャネルを有しているかどうかを判定し、パケット測定レポートを送信するように前記コントローラを動作させる、請求項２７に記載の装置。
【請求項２９】
前記コントローラが、ブロードキャスト制御チャネル割り当て表示パラメータが変わっていると、パケットブロードキャスト制御チャネルを有していないセルのために、ＧＳＭ近傍セルリストを再読み込み及び再構築するように構成される、請求項２６に記載の装置。
【請求項３０】
前記コントローラが、無線通信のための無線部と通信するように構成される、請求項２６に記載の装置。
【請求項３１】
前記無線部が無線周波数で動作しうる通信器を備える、請求項３０に記載の装置。
【発明の詳細な説明】
【技術分野】
【０００１】
本発明は一般に無線通信システムと方法とに関し、特に、一般パケット無線サービス（GPRS）処理並びにセルの再選択（CRS）機能と測定レポート機能とをサポートするネットワークによる、携帯電話などの移動局の動作に関する。
【背景技術】
【０００２】
以下の追加の略語が本願の場合定義されている：
3G      第3世代（セルラシステム）
3GPP    第3世代パートナプロジェクト
BA      BCCH割当て
BCCH    ブロードキャスト制御チャネル
BSIC    基地局識別番号コード
BSC     基地局コントローラ
BSS     基地局システム
BTS     基地送受信局
CCCH    共通制御チャネル
DSP     デジタル信号プロセッサ
GSM     移動通信用広域システム
IP      インターネットプロトコル
MCU     マイクロ・コントロールユニット
MS      移動局
NC      ネットワーク制御
PACCH   パケット関連制御チャネル
PBCCH   パケットブロードキャスト制御チャネル
PSI     パケットシステム情報
UMTS    ユニバーサル移動通信システム
【０００３】
例えば、3GPP TR21.905、V4.4、第3世代パートナプロジェクト；技術仕様グループサービスシステム態様；3GPP仕様（リリース4）関連語彙を参照することも可能である。
【０００４】
GPRSサービスと接続されると、MSはNC0、NC1またはNC2の3つのNCモードのうちの1つのモードで動作することができる。ネットワークは、ブロードキャストメッセージまたはポイント間メッセージでMSへ送られてくる情報を介してMSのNCモードを制御することができる。
【０００５】
モードNC0では、MSはCRSの実行によってキャンプオンを行うために最適セルの選択を行う役割を果たす。このモードでは、MSは、ネットワークに対して（周囲のセルの受信済み信号品質などの）特性レポートを行うことを要求されない。モードNC2では、MSは独立してCRSを実行せず、代わりに、PACKET MEASUREMENT REPORT（パケット測定レポート）メッセージを用いて周囲のセルの特性をネットワークへ報告する。ネットワークはMSが送ってくる測定レポートに従って、セルの変更をMSに命令することができる。モードNC1では、MSはCRSと測定レポートの双方を実行する。
【０００６】
3GPPリリース1999（R99）では、NC1モードとNC2モードでの周囲の2Gセルの測定レポートはGSM近傍セルリストに基づくものとなる。CCCHでは、GSM近傍セルリストはシステム情報タイプ2／2bis／2terメッセージの形でブロードキャストされるBA（リスト）（周波数表）から、並びに、システム情報タイプ2クアテル（quater）でブロードキャストされるBSICリストから構成される。しかし、BSICリストがセルでブロードキャストされない場合、GSM近傍セルリストはシステム情報タイプの2／2bis／2terメッセージから得られるBA（リスト）に等しくなるように定義される。GPRS近傍セル測定レポートの場合、システム情報タイプ2／2bis／2terメッセージから得られるBA（リスト）はBA（GPRS）と呼ばれている。
【０００７】
セルのキャンプオンを行う場合、MSは、測定レポートの開始が可能となる前にシステム情報からGSM近傍セルリストを取得しなければならなくなる。システム情報2クアテルメッセージにはいくつかのメッセージインスタンスが含まれ、したがって、メッセージ全体の受信には、或るかなりの量の時間（ネットワーク構成に左右されるが数十秒まで）を要することになる。
【０００８】
MSが高速に移動しているとき、セルの変更の必要性が生じる頻度はきわめて高くなる（例えば、15秒毎に一回など）。しかし、モードNC2の場合、MSが測定レポートを送ってしまうまでネットワークはセルの変更をMSに命令することはできない。というのは、測定レポートなしでは、MSをどのセルへ割り当てるべきかがネットワークにはわからないからである。さらに、MSは、MSがGSM近傍セルリストを構成できるようになる前にシステム情報タイプ2クアテルメッセージのすべてのインスタンスを受信しなければならない。したがって、SI2クアテルメッセージ全体の受信後にのみMSによる測定レポートの開始が可能となる。しかし、メッセージSI2クアテルの受信に必要な時間が非常に長くなる場合が多いため、セルの変更はすでに不可能となる。この結果、MSは、現在のセルのサービス対象エリアの外側へ移動すると、サービスの対象外になる可能性がある。実際問題として、この状況は、例えばセルのサイズが狭いエリア内のハイウェイ上などで生じる可能性が大きい。
【０００９】
システム情報タイプ2クアテルメッセージを使用しないようにネットワークを構成することも可能であり、その結果、上述のようにGSM近傍セルリストは、システム情報タイプ2／2bis／2terメッセージから得られるBA（GPRS）に等しくなる。しかし、GSM−UMTS相互接続などのいくつかの処理手順は上記メッセージの存在を必要とする。したがって、システム情報タイプ2クアテルメッセージの除去はネットワーク構成の点から見ると容認できる解決方法ではない。
【００１０】
本発明以前には上記問題に対する良好な解決方法は存在しなかった。
【発明の好適な具体的態様のまとめ】
【００１１】
これらの教示に関して現在好適な具体的態様によれば、上述の問題並びにその他の問題が解決され、さらにその他の利点が実現されることになる。
【００１２】
1つの態様では、本発明は、MSの現在の割当て先セルが、第1のタイプのブロードキャスト制御チャネル（PBCCH）を有しているかどうかをMSにおいて判定するために、少なくとも1つのネットワーク動作制御モード（好適にはNC2）で動作する方法を提供するものであり、該方法は、セルが上記第1のタイプのブロードキャスト制御チャネルを有していれば、PBCCHから受信したリストの中で特定された近傍セルに関するレポートを行うためのPACKET MEASUREMENT REPORT（パケット測定レポート）メッセージをネットワークへ送信するものである。セルがPBCCHを有していなければ、上記方法は、代わりに第2のタイプのブロードキャスト制御チャネル（BCCH）から受信したリストの中で特定された近傍セルに関するレポートを行うためのPACKET MEASUREMENT REPORTメッセージをネットワークへ送信する。MSが使用したリストタイプは、上記PACKET MEASUREMENT REPORTメッセージが暗黙裡に指定したリスト（実施形態1）か、該PACKET MEASUREMENT REPORTメッセージが明示的に指定したリスト（実施形態2）かのいずれか一方のリストである。
【００１３】
好適には、リストのタイプを黙示すると予め定められている旧いバージョンでメッセージを送信することによって、上記リストを暗黙裡に指定することが望ましい。例えば、PACKET MEASUREMENT REPORTメッセージは、ブロードキャスト制御チャネル（BCCH）から得られるBA（GPRS）を黙示するGPRSリリース1997フォーマットで送られる。
【００１４】
PACKET MEASUREMENT REPORTが、BCCHから得られるBA（GPRS）に基づくか、BCCHから得られるGSM近傍セルリストに基づくかを指定するために、1ビットフィールドのようなPACKET MEASUREMENT REPORTメッセージのフィールドが好適に上記リストを明示的に指定することが望ましい。PBCCHがセルの中に存在していない場合にのみ上記1ビットフィールドはPACKET MEASUREMENT REPORTメッセージに追加される。
【００１５】
本発明のさらなる態様では、コンピュータプログラムが有形のコンピュータ可読媒体に具現化され、上記に要約したように、ネットワークを用いてMSのコンピュータに処理を行わせるプログラム命令が上記プログラムに含まれる。
【００１６】
添付図面の図と共に推奨実施形態についての以下の詳細な説明を読むとき、上述の態様並びにこれら教示の別の態様が上記説明の中でさらに明らかにされる。
【好適な具体的態様の詳細な説明】
【００１７】
導入として、および、図1を参照してわかるように、本発明の実施に適した無線通信システム10の実施形態が簡略ブロック図として示されている。無線通信システム10は少なくとも1つのMS100を備える。図1には、例示のネットワーク通信事業者20も示され、このネットワーク通信事業者20は、例えば、公衆パケットデータネットワークやPDNなどの通信ネットワークと接続するためのノード30、少なくとも1つのBSC40または同等の装置、並びに、基地局（BSS）とも呼ばれる複数のBTS50を備えている。このBTS50は、所定のエアインタフェース規格に準拠して、物理チャネルと論理チャネルの双方を順方向すなわちダウンリンク方向にMS100へ送信する。MS100からネットワーク通信事業者20への逆方向すなわち上り回線通信パスも存在し、発信されたアクセス要求とトラフィックとを伝える。個々のBTS50と（マクロ）セル3が関連づけられ、その場合1つのセルが任意の所定時刻にサービングセルと見なされるのに対して、隣接セルは近傍セルと見なされる。さらに小さなセル（ピコセルなど）も利用可能である。
【００１８】
エアインタフェース規格は、任意の好適な標準規格またはプロトコルに従うことが可能であり、インターネット70のアクセスと、ウェブページのダウンロードとを動作可能にするようなIPデータトラフィックなどの音声とデータ双方のトラフィックを動作可能にすることができる。本発明の現在推奨の実施形態では、上記エアインタフェース規格は、3GPP TS04.60やその他のような3GPP  TSと互換性があり、本発明の少なくとも1つの実施形態では、3GPP TS04.60に対する変更例と互換性がある。
【００１９】
MS100は一般に、表示部140の入力部と接続された出力部、並びに、キーボードまたはキーパッド160の出力部と接続された入力部を有するMCU120などの制御ユニットまたは制御論理回路を備えている。MS100は携帯電話や個人用コミュニケータなどのハンドヘルド型無線電話であってもよい。移動局100は、使用中に別の装置と接続されるカードやモジュール内に含まれるものであってもよい。例えば、移動局10は、ラップトップ型コンピュータやノートブック型コンピュータあるいはユーザが着用可能なコンピュータなどのような携帯用データプロセッサの中に使用中インストールされるPCMCIAや類似のタイプのカードまたはモジュールの中に含まれる移動局であってもよい。
【００２０】
MCU120は、或るタイプのメモリ130を含んだり、或るタイプのメモリ130と接続されたりするものと想定される。このタイプのメモリ130には、オペレーティングプログラムおよびその他の情報を格納するための不揮発性メモリ130A並びに必要なデータを一時的に記憶する揮発性メモリスクラッチパッドメモリ、受信済みパケットデータ、送信対象パケットデータ等が含まれている。オペレーティングプログラムは、本発明の目的のために、MCU120が（以下さらに詳細に記載のように）本発明に準拠する方法を実行するのに必要なソフトウェアルーチンと、層と、プロトコルとを実行可能にするものとして、並びに、表示部140とキーパッド160とを介して、ユーザとの好適なユーザインタフェース（UI）を提供するものとして想定されているものである。図示してはいないが、通常の方法で音声による呼の実行を可能にするために一般にマイクとスピーカとが設けられる。
【００２１】
MS100は、DSP180または同等の高速プロセッサあるいは論理回路、並びに、送信機200と受信機220とを備えた無線送受信装置を備えた無線部も含み、上記送信機200と受信機220の双方はネットワーク通信事業者との通信用アンテナ240と接続される。周波数シンセサイザ（SYNTH）260などの少なくとも1つの局部発振器が送受信装置の同調用として設けられる。デジタル化された音声およびパケットデータのようなデータはアンテナ240を介して送受信される。
【００２２】
本発明を実現する1つの好適なハードウェアプラットフォームについて以上説明したが、ネットワーク通信事業者20と協働するMS100の動作に関する本発明のさらに詳細な説明を以下行うことにする。
【００２３】
MS100による測定レポートの開始に必要な時間を減らすために、MS100が上記リストを受信した後、すなわち、システム情報タイプ2クアテルメッセージを受信した後でのみ、上記測定レポートはGSM近傍セルリストに基づいて行われる。この時点よりも前には、この測定レポートは、GSM近傍セルリストの代わりに、システム情報タイプ2／2bis／2terメッセージから得られるBA（GPRS）に基づいて行われる。MS100はまた、測定レポートがどのリストに基づいて行われるかを個々のPACKET MEASUREMENT REPORT（パケット測定レポート）メッセージの形で示す。
【００２４】
本発明は少なくとも2つの実施形態で実施することが可能である。第1の実施形態では、システム情報タイプ2／2bis／2terメッセージから得られるBA（GPRS）に基づいてレポートが行われる限り、MS100は、3GPP R97GSM規格に記載のようにPACKET MEASUREMENT REPORTメッセージの符号化を行う。
【００２５】
この実施形態の利用によって実現される1つの大きな利点として、R99標準規格ではエアインタフェースに対する変更を必要としないという点が挙げられる。これは、R97内のPACKET MEASUREMENT REPORTメッセージが、システム情報タイプ2／2bis／2terメッセージから得られるBA（GPRS）を常に参照するという理由に起因して真である。すなわち、R99互換ネットワークは、R97互換MSから受信されるPACKET MEASUREMENT REPORTメッセージのフォーマットを予め理解しておく必要がある。
【００２６】
一見すると、R97標準規格に従って符号化されたPACKET MEASUREMENT REPORTメッセージをMS100が送信している限り、本発明の上記実施形態の利用によって、MS100が、R99拡張部のPACKET MEASUREMENT REPORTメッセージで符号化された情報を報告するのが妨げられているように見えるかもしれない。しかし、MS100がフルセットのシステム情報タイプ2クアテルメッセージを取得してしまうまでは、MS100が拡張R99で符号化するために指定化された情報はその時点では存在していない。したがって、この明らかに不都合な点のために、将来のリリース（すなわちR99後のリリース）時のPACKET MEASUREMENT REPORT拡張に対して制約が課されることになる。しかし、現在、このような拡張は定義されていないし、このような拡張の必要性は特定されていない。
【００２７】
実際問題として、本発明の第1の実施形態の実施構成には、3GPP R99標準規格、特に、TS04.60に対する変更の存在が必然的に含まれる。さらに詳細には、TSバージョン8.19.0、セクション11.2.9（PACKET MEASUREMENT REPORT）に対する変更が必要となる。
【００２８】
上記PACKET MEASUREMENT REPORTメッセージは、MS100からネットワーク20へPACCHで送られるように定義され、測定結果が報告される。上記メッセージはネットワーク制御測定から得られた測定結果、または、拡張された測定から得られた測定結果を含むものであってもよいが、双方の測定結果を同時に含むものではない。報告すべき測定値の数値に応じて1以上のメッセージが必要になる場合もある。（3G）マルチRAT  MS100の場合、ネットワーク制御測定の結果として3Gセルに関するレポートを含むことができる。
【００２９】
表11.2.9.1は以下のようにPACKET MEASUREMENT REPORTメッセージ内容を定義するものである：
0004363663.tif 000002
Packet Measurement report message content：パケット測定レポートメッセージ内容
NC Measurement Report struct：NC測定レポート構造体
EXT Measurement Report：EXT測定レポート
EXT Measurement Report struct：EXT測定レポート構造体
Receiver compatible with earlier release：前回のリリースと互換性のある受信機）
Additions in Release 99：リリース99での追加）：
3G Measurement Report：3G測定レポート
3G Measurement Report struct：3G測定レポート構造体
【００３０】
上述のPACKET MEASUREMENT REPORTメッセージの内容において、情報要素はすべてTSバージョン8.19.0、セクション11.2.9（PACKET MEASUREMENT REPORT）に定義されているものである。
【００３１】
本発明に対する最も興味をひく点としてNC測定の定義に対して行われる変更がある。このフィールドの従来の一般的な定義は単に以下のようなものである：
"結果として生じるNC測定用の周波数／セルリストは節5.6.3.2に定義されるGSM近傍セルリストである。"
【００３２】
この点に関する参考文献として、例えば、3GPP TS44.060、V6.10（2003−02）"第3世代パートナプロジェクト；技術仕様グループGSM／EDGE無線アクセスネットワーク；一般パケット無線サービス（GPRS）；移動局（MS）基地局システム（BSS）インタフェース；無線リンク制御／媒体アクセス制御（RLC／MAC）プロトコルリリース6"、セクション11.2.9、NC測定の定義（p.175）を参照することができる。
【００３３】
本発明の上記実施形態に基づいて行うセクション11.2.9に対する変更は以下のようなものである：
"PBCCHを含むセルにおいて、結果として生じるNC測定用の周波数／セルリストは、セクション5.6.3.2に定義されているGSM近傍セルリストである。"
【００３４】
パケットデータ固有のPSI（パケットシステム情報）をブロードキャストするためにパケットブロードキャスト制御チャネル（PBCCH）が定義されていることに留意されたい。PBCCHが割り当てられていない場合、パケットデータ固有のシステム情報が代わりにBCCH（ブロードキャスト制御チャネル）でブロードキャストされる。
【００３５】
本発明の上記実施形態に基づいて行われる変更についてはさらに以下のように記載されている：
"PBCCHを有していないセルでは、結果として生じるNC測定用の周波数／セルリストは、MSがBCCHからGSM近傍セルリストを取得してしまう前の（セクション5.6.3.2に定義されている）BA（GPRS）である。BCCHMS100がBCCHまたはGSM近傍セルリストを取得した後、結果として生じるNC測定用の周波数／セルリストは（セクション5.6.3.2に定義されている）GSM近傍セルリストである。"
【００３６】
さらに、MS100は、"BA（GPRS）を参照するPACKET MEASUREMENT REPORTメッセージの中に（'リリース99'における追加）R99拡張を含まない"ように追加指定される。
【００３７】
"BA（GPRS）とGSM近傍セルリストの導出"と題する3GPP  TS04.60V8.19.0（2003−07）のセクション5.6.3.2には以下のように記載されている。
【００３８】
PBCCHが割り当てられていないセルでは、BA（GPRS）は、メッセージSI2／SI2bis／SI2terから得られるBA（リスト）に等しくなる。3GPP  TS04.18（セクション3.4.1.2.1.2、"BSICとBA（リスト）からのGSM近傍セルリストの導出"に記載のように、（ブロードキャストされた場合）SI2クアテルメッセージの1以上のインスタンスからのGPRS  BSIC記述から得られるBSICは、同じBA_IND値を有するBA（GPRS）と関連づけられて、GSM近傍セルリストが生み出される。GPRS  BSIC記述がブロードキャストされなかった場合、GSM近傍セルリストはBA（GPRS）（唯一の周波数表）に等しくなる。
【００３９】
PBCCHが割り当てられたセルでは、BA（GPRS）は、同じPSI3_CHANGE_MARK値（11.2.20を参照のこと）を持つPBCCHで、PSI3でかつPSI3bisの昇順に送られる近傍セルパラメータから導き出される。PSI3でリストされ、PSI3bisの1以上のインスタンスでリストされる個々の近傍セルには、測定レポート用として使用される昇順のインデックスが割り当てられる。PSI3での第1の近傍セルは最少インデックス（＝0）を有し、最大インデックスがつけられたPSI3bisメッセージでの最後の近傍セルは最大インデックスを有することになる。GSM近傍セルリストはBA（GPRS）に等しくなる。
【００４０】
セクション5.6.3.2には、GSM近傍セルリストが96個までのGSM近傍セルを含むことも可能である旨がさらに宣言されている。測定対象のGSM周波数の総個数は32個を上回ることはできない。リストの中に32個よりも多い周波数が含まれる場合、MS100は最少インデックスを持つ32個の周波数のみを測定することになる。
【００４１】
セクション5.6.3.2には、パケットセル変更命令メッセージの形の"NC周波数表"によってGSM近傍セルリストの修正が可能である旨がさらに宣言されている（その場合、参照リストは新たなセルまたは同じBA_IND値またはPSI3_CHANGE_MARK値を持つパケット測定順序メッセージの1以上のインスタンスで示される）。
【００４２】
"NC周波数表"はGSM近傍セルリストにセルを追加するものであってもよい（セクション11.2.4並びに11.2.9b、"パケットセル変更順序"および"パケット測定順序"を参照のこと）。これらのセルは定義されて、GSM近傍セルリストの最後に追加され、パケットセル変更命令メッセージまたはパケット測定順序メッセージの昇順のインスタンスで発生順にインデックスがつけられる。追加セルのリストはGPRSセルの再選択パラメータを含むものであってもよい。もし同じセル（ARFCN＋BSIC）またはBSICのない同じARFCNが2回以上生じた場合には、個々の発生に対してインデックスが割り当てられるが、最大インデックスを持つ唯一のセルはセルの再選択用として使用され、測定レポートの中で参照されることになる。
【００４３】
セクション5.6.3.2には、"NC周波数表"がリストBA（GPRS）から周波数を削除してもよい旨がさらに宣言されている（11.2.9bを参照のこと）。除去対象周波数はBA（GPRS）内の該周波数のインデックスによって特定される。このケースでは、除去対象周波数と関係するすべてのセルがGSM近傍セルリストから除去される。除去済みのセル／周波数はそれらのインデックスを保持するが、測定やレポートは行われない。インデックスが存在しないセルを指定しても、これはエラーとは見なされない。
【００４４】
MS100が変更済みPMO_INDパラメータ値を持つパケット測定順序メッセージ（フルセットのインスタンス）を受信した場合、いずれの古い"NC周波数表"も削除される。最後のパケット測定順序メッセージ（インスタンスのフルセット）が"NC周波数表"を含まない（追加周波数や削除された周波数が存在しない）場合、MS100はBA（GPRS）へ戻ることになる。
【００４５】
セクション5.6.3.2にはまた、PBCCHが割り当てられていないセルでBA_INDパラメータが変更された場合、MS100は、GSM近傍セルリストの再読出しと再構成とを行うように動作するとも記載されている。PBCCHが割り当てられたセルでは、PSI3_CHANGE_MARKが変更された場合、MS100は、GSM近傍セルリストの再読出しと再構成とを行うように動作する。
【００４６】
本発明の上記第1の実施形態によれば、PACKET MEASUREMENT REPORTメッセージの構造に対する変更が不要になることに留意されたい。というのは、PACKET MEASUREMENT REPORTメッセージの符号化によってレポートのソースが暗黙裡に定義されるため、追加の情報要素を定義する必要がなくなるからである。
【００４７】
すなわち、PACKET MEASUREMENT REPORTメッセージに対するR99拡張部（すなわち'リリース99'内での追加'とラベルがつけられた当該部分）を含めないようにすることによって、MS100は、本質的に、（リリース1997などの）PACKET MEASUREMENT REPORTメッセージフォーマットについて、既定では、ネットワーク20が、BCCHから得られるBA（GPRS）の使用を黙示していると理解するものであるというように定めている。BCCHからGSM近傍セルリストを取得した後でのみ、MS100は'PACKET MEASUREMENT REPORTメッセージのリリース99'部分の追加利用を開始する。
【００４８】
本発明の第2の実施形態では、参照リストを明示的に示す新たなフィールドがPACKET MEASUREMENT REPORTメッセージに追加される。好ましい実施形態では、この新たなフィールドは'PACKET MEASUREMENT REPORTメッセージのリリース99における追加'部分に追加される1ビットフィールドであり、この1ビットフィールドは、好適にはパディングビットの直前にあることが望ましい。上記新たなフィールドは好適にはNC_MEAS_LIST_TYPEと呼ぶことが望ましく、NC測定レポートがどのリストに基づくものであるかを示すために、以下のように定義される：
0  レポートはBA（GPRS）に基づくものである。
1  レポートはGSM近傍セルリストに基づくものである。
【００４９】
MS100は、PBCCHを含まないセル内のPACKET MEASUREMENT REPORTメッセージの中にのみフィールドNC_MEAS_LIST_TYPEを含むように定義される。
【００５０】
この点に関して、利用可能なPBCCHがセル内に存在するか否かについてネットワーク20が認知し、BCCHでブロードキャストされるシステム情報タイプ13メッセージ内でのセルMS100に対するPBCCHの利用可能性を示すことが可能である旨が指摘される。
【００５１】
NC測定の定義はまた第1の実施形態の場合のように、すなわち、（上述のように）セクション5.6.3.2に定義されているように、結果として生じるNC測定用の周波数／セルリストがGSM近傍セルリストとなる旨をPBCCHを有するセルの中で宣言するように変更することも望ましい。上記変更によって、PBCCHを含んでいないセルでは、BCCHから得られるGSM近傍セルリストが取得されてしまう前に、結果として生じるNC測定用の周波数／セルリストが（セクション5.6.3.2で定義される）BA（GPRS）である旨がさらに宣言される。MS100がBCCHからGSM近傍セルリストを取得した後、結果として生じるNC測定用の周波数／セルリストが（セクション5.6.3.2で定義されている）GSM近傍セルリストとなる。しかし、この第2の実施形態は、PACKET MEASUREMENT REPORTメッセージでのR99拡張の利用に対して第1の実施形態の場合のような同じ制約を課すものではない。
【００５２】
この第2の実施形態の利点として、拡張R99部のPACKET MEASUREMENT REPORTメッセージにおけるMS100による情報の符号化が可能になるということが挙げられる。R99互換MS100では、上記のことは（上述したような）直接的利点とはならないが、本発明のこの第2の実施形態は、将来のリリース（R99後のリリース）時のPACKET MEASUREMENT REPORTメッセージ拡張の利用に対する制約を課すものではない。しかし、上記利点は、本発明のこの実施形態をサポートするために、既存のR99ネットワークの改訂を必要とする代償として得られるものである。というのは、本実施形態では、上記レポートのソースは、PACKET MEASUREMENT REPORTメッセージのNC_MEAS_LIST_TYPEビットの状態によって明示的に信号化されるからである。
【００５３】
図2を参照してわかるように、ネットワーク20を用いてMS100を動作させる本発明の方法によれば、以下の処理が実行される：
A）  少なくとも1つのネットワーク動作制御モード（好適にはNC2）で、MS100の現在の割当て先セルが第1のタイプのブロードキャスト制御チャネル（PBCCH）を有しているかどうかの判定処理；
B）  上記セルが第1のタイプのブロードキャスト制御チャネルを有していれば、PBCCHから受信したリストで特定された近傍セル（特にGSM近傍セルリスト）に関するレポートを行うためのPACKET MEASUREMENT REPORTメッセージをネットワークへ送信する処理；
C）  上記セルがPBCCHを有していなければ、リストMS100の中で、GSM近傍セルリストが受信されたかどうかを判定する処理；
D）  GSM近傍セルリストが受信された場合、（R99 PACKET MEASUREMENT REPORTメッセージの送信によって）暗黙裡に、あるいは、（フィールドNC_MEAS_LIST_TYPEを含むR99 PACKET MEASUREMENT REPORTメッセージの送信によって）明示的に行うかのいずれかの方法によって、使用リストを示しながら、BCCHから受信したGSM近傍セルリストの中で特定された近傍セルに関するレポートを行うためのPACKET MEASUREMENT REPORTメッセージをネットワークへ送信する処理；
E）  GSM近傍セルリストが受信されなかった場合、（R97 PACKET MEASUREMENT REPORTメッセージの送信によって）暗黙裡に、あるいは、（フィールドNC_MEAS_LIST_TYPEを含むR99 PACKET MEASUREMENT REPORTメッセージの送信によって）明示的に行うかのいずれかの方法によって、使用リストを示しながら、BCCHから受信したBA（GPRS）で特定された近傍セルに関するレポートを行うためのPACKET MEASUREMENT REPORTメッセージをネットワークへ送信する処理。
【００５４】
本発明はまた、或るタイプのコンピュータ可読媒体（図1のメモリ130Aなど）に格納されたコンピュータプログラムであって、上記方法を実施するためにMS100のMCU120によって実行されるコンピュータプログラムにも関係するものであり、並びに、本発明のネットワーク側の任意の単数または複数の構成要素を実現するためにネットワーク20の好適なデータプロセッサによって実行される、或るタイプのコンピュータ可読媒体に格納されたコンピュータプログラムに関係するものである。
【００５５】
本発明の利用は、CCCHに関する測定レポートの開始に必要な時間を減らすという点で利点を有するものである。実際に、本発明の利用によって、狭いセルサイズを有するエリア内で高速に移動しているとき、MS100がモードNC2での動作時にサービスの対象外になることが防止される。
【００５６】
上述の説明は、本発明を限定するものではない例示の実施例によって、本発明を実行するための、本願発明者らが現在考える最善の方法および装置についての十分なかつ情報を示す記述を行ったものである。しかし、添付図面並びに添付の請求項と共に上記説明を読むとき、当業者から見れば上記説明に関して種々の変更並びに適合化が明らかになる。単にいくつかの例示として、その他の同様のあるいは同等のメッセージフォーマット、ビット定義、情報要素定義とフィールド定義およびフォーマットの利用並びに種々のメッセージや、フィールドや、チャネル等の固有の名称に対する変更を当業者が試みることも可能である。しかし、本発明の教示のこのようなすべての同様の変更は依然本発明の範囲内に属することになる。
【００５７】
さらに、上記説明では主としてNC2動作モードという文脈の場合について記載したが、NC1モードで動作するMS100が本発明を採用することも可能であると理解すべきである。但し、モードNC1では、MS100が通常サービスの対象外にならないようにすることが望ましい。というのは、MS100はCRSの自律的実行を許すからである。すなわち、MS100は、ネットワーク20からコマンド命令を受けることなくセルの変更を可能にする。したがって、測定レポート処理に対する遅れがちの起動のために、セルの変更に対する制約がそれ自体でかつ自動的に設定されることはなくなる。
【００５８】
さらに、本発明の特徴のいくつかを利用して、対応する別の特徴を利用することなく利益を得るようにすることも可能である。したがって上述の説明は、本発明の原理を示す単に例示的なものと考えるべきものであり、本発明を限定するものと考えるべきではない。
【図面の簡単な説明】
【００５９】
【図１】移動局と、ネットワーク通信事業者とを含む無線通信システムであって、本発明の実施での使用に適した無線通信システムのブロック図である。
【図２】本発明の方法に基づく論理フローチャートである。
【図１】
0004363663.tif 000003
【図２】
0004363663.tif 000004